(57)【要約】  本発明は、関節窩プロテーゼ及びそれを有する関節プロテーゼを提供する。関節窩プロテーゼの外カップが対象骨に設けられ、インナーライナーが外カップに設けられ、関節頭構造がインナーライナーに可動に設けられ、外カップには、関節包に連通する第１の連通通路が設けられ、インナーライナーには、関節包に連通する第２の連通通路が設けられ、第１の連通通路が第２の連通通路と連通することにより、滑液をインナーライナーと関節頭構造との間の接触面に導く。本発明の技術的解決手段は、従来技術における人工関節の摩擦面での効果的な潤滑の欠如による関節材料の摩耗速度が速くて、人工関節が早期に故障するという問題を効果的に解決する。【選択図】図１
2021516593.tif 000002
【特許請求の範囲】
【請求項１】
対象骨に設けられる関節窩プロテーゼであって、
前記対象骨に設けられる外カップ（１０）と、
前記外カップ（１０）に設けられるインナーライナー（２０）とを含み、
前記外カップ（１０）には、関節包に連通する第１の連通通路が設けられ、前記第１の連通通路の入口が前記外カップ（１０）の、前記関節包内に露出する表面に設けられ、前記第１の連通通路の出口が前記外カップ（１０）の前記インナーライナー（２０）との接触面に設けられ、
前記インナーライナー（２０）には、前記関節包に連通する第２の連通通路が設けられ、一部の前記第２の連通通路の入口が前記インナーライナー（２０）の、前記関節包内に露出する表面に設けられ、一部の前記第２の連通通路の入口が前記インナーライナー（２０）の前記外カップ（１０）との接触面に設けられ、前記第１の連通通路に連通し、前記第２の連通通路の出口が前記インナーライナー（２０）の、適合した関節頭構造との接触面に設けられ、前記第２の連通通路が滑液を前記インナーライナー（２０）と前記関節頭構造との間の接触面に導くことができる、ことを特徴とする関節窩プロテーゼ。
【請求項２】
前記第１の連通通路は、第１の管状通路（１１）と第１の溝状通路を含み、前記第１の管状通路（１１）が前記外カップ（１０）に設けられ、前記第１の管状通路（１１）の入口が前記外カップ（１０）の、前記関節包内に露出する表面に設けられ、前記第１の溝状通路が前記外カップ（１０）の内面に設けられ、少なくとも一部の前記第１の管状通路（１１）の出口が前記第１の溝状通路に設けられ、
前記第２の連通通路は、第２の管状通路（２１）を含み、前記第２の管状通路（２１）が前記インナーライナー（２０）に設けられ、前記第２の管状通路（２１）の入口が前記インナーライナー（２０）の、前記関節包内に露出する表面及び前記インナーライナー（２０）の前記外カップ（１０）との接触面に設けられ、前記第２の管状通路（２１）の出口が前記インナーライナー（２０）の、適合した関節頭構造との接触面に設けられる、ことを特徴とする請求項１に記載の関節窩プロテーゼ。
【請求項３】
前記第１の溝状通路は、第１の凹溝（１２）を含み、前記インナーライナー（２０）には、前記第１の凹溝（１２）に適合する係合凸部（２２）が設けられ、前記外カップ（１０）と前記インナーライナー（２０）の組立が完了した場合、前記係合凸部（２２）は、前記第１の凹溝（１２）内に突入して係合される、ことを特徴とする請求項２に記載の関節窩プロテーゼ。
【請求項４】
前記係合凸部（２２）と前記第１の凹溝（１２）との間に過流隙間が設けられて、前記第１の連通通路と前記第２の連通通路を連通する、ことを特徴とする請求項３に記載の関節窩プロテーゼ。
【請求項５】
前記第１の溝状通路は、前記外カップ（１０）の内面に放射状をなして設けられ、前記第１の凹溝（１２）と連通する複数の第２の凹溝（１３）をさらに含む、ことを特徴とする請求項３に記載の関節窩プロテーゼ。
【請求項６】
前記第２の凹溝（１３）の入口は、前記外カップ（１０）の、前記関節包内に露出する表面に設けられる、ことを特徴とする請求項５に記載の関節窩プロテーゼ。
【請求項７】
前記第２の連通通路は、前記係合凸部（２２）に設けられた第３の凹溝（２３）を含む、前記インナーライナー（２０）の外面に設けられた第２の溝状通路をさらに含み、一部の前記第２の連通通路の入口が前記第３の凹溝（２３）に設けられる、ことを特徴とする請求項３に記載の関節窩プロテーゼ。
【請求項８】
前記第２の溝状通路は、前記第３の凹溝（２３）と間隔を隔てて設けられた第４の凹溝（２４）をさらに含み、一部の前記第２の連通通路の入口が前記第４の凹溝（２４）に設けられる、ことを特徴とする請求項７に記載の関節窩プロテーゼ。
【請求項９】
前記インナーライナー（２０）の、適合した関節頭構造との接触面に設けられた一部の前記第２の連通通路の出口には、開口径が前記第２の連通通路の出口の開口径より大きい収容溝（２５）が設けられる、ことを特徴とする請求項１に記載の関節窩プロテーゼ。
【請求項１０】
寛骨臼プロテーゼであり、
前記第１の連通通路の入口が前記外カップ（１０）の端面に設けられる、ことを特徴とする請求項１に記載の関節窩プロテーゼ。
【請求項１１】
前記外カップ（１０）は、セラミック又は金属材料で製造され、
前記インナーライナー（２０）は、弾性ポリマー材料で製造される、ことを特徴とする請求項１に記載の関節窩プロテーゼ。
【請求項１２】
前記インナーライナー（２０）は、透明材料で製造され、
前記第２の連通通路は、フェムト秒レーザによる内部彫刻技術によって形成される、ことを特徴とする請求項１に記載の関節窩プロテーゼ。
【請求項１３】
相対運動可能な第１の骨と第２の骨との間に設けられ、前記第１の骨に設けられる関節窩プロテーゼと、前記第２の骨に設けられる関節頭プロテーゼと、を含む関節プロテーゼであって、
前記関節窩プロテーゼが請求項１〜１２のいずれか一項に記載の関節窩プロテーゼである、ことを特徴とする関節プロテーゼ。
【発明の詳細な説明】
【技術分野】
【０００１】
本発明は、人工関節インプラントの分野に関し、具体的には、関節窩プロテーゼ及びそれを有する関節プロテーゼに関する。
【背景技術】
【０００２】
人工関節の分野において、全股関節置換は、既に広く普及しているが、従来の製品において、大部分の寛骨臼インナーライナープロテーゼがセラミック又は超高分子量ポリエチレンを用い、セラミックの硬度は言うまでもなく、ポリエチレンの硬度でさえも、人体の生理的寛骨臼軟骨組織の硬度よりはるかに高いため、患者のリハビリテーション後の歩行時の体性感覚と術前の体性感覚との差が大きいことをもたらす。少数の業界機構も人体の自然生理的軟骨と近似的な硬度及び弾性を有するポリマー材料（例えばポリウレタン、ポリビニルアルコールゲル、ポリ乳酸）を関節摩擦面として使用することを試み、耐摩耗性及び力学的性能の面でいずれも要件を達成することができるが、高い変形能力を有し、加圧荷重を受けた後にその摩擦面が反対側の関節プロテーゼの摩擦面（一般的にはセラミック又は硬質金属）に密着して関節滑液が関節摩擦面の間の完全な被覆を維持することができないため、摩擦面の一部又は大部分が効果的な潤滑に欠け、最終的にポリマー材料の迅速な摩耗と失効をもたらす。
【発明の概要】
【発明が解決しようとする課題】
【０００３】
本発明は、従来技術における人工関節の摩擦面での効果的な潤滑の欠如による関節材料の摩耗速度が速く、人工関節が早期に故障するという問題を解決するために、関節窩プロテーゼ及びそれを有する関節プロテーゼを提供することを目的とする。
【課題を解決するための手段】
【０００４】
上記目的を達成するために、本発明の一態様は、対象骨に設けられる関節窩プロテーゼであって、対象骨に設けられる外カップと、外カップに設けられるインナーライナーとを含み、外カップには、関節包に連通する第１の連通通路が設けられ、第１の連通通路の入口が外カップの、関節包内に露出する表面に設けられ、第１の連通通路の出口が外カップのインナーライナーとの接触面に設けられ、インナーライナーには、関節包に連通する第２の連通通路が設けられ、一部の第２の連通通路の入口がインナーライナーの、関節包内に露出する表面に設けられ、一部の第２の連通通路の入口がインナーライナーの外カップとの接触面に設けられ、第１の連通通路に連通し、第２の連通通路の出口がインナーライナーの、適合した関節頭構造との接触面に設けられ、第２の連通通路が滑液をインナーライナーと関節頭構造との間の接触面に導くことができる関節窩プロテーゼを提供する。
【０００５】
さらに、第１の連通通路は、第１の管状通路と第１の溝状通路を含み、第１の管状通路が外カップに設けられ、第１の管状通路の入口が外カップの、関節包内に露出する表面に設けられ、第１の溝状通路が外カップの内面に設けられ、少なくとも一部の第１の管状通路の出口が第１の溝状通路に設けられ、第２の連通通路は、第２の管状通路を含み、第２の管状通路がインナーライナーに設けられ、第２の管状通路の入口がインナーライナーの、関節包内に露出する表面及びインナーライナーの外カップとの接触面に設けられ、第２の管状通路の出口がインナーライナーの、適合した関節頭構造との接触面に設けられる。
【０００６】
さらに、第１の溝状通路は、第１の凹溝を含み、インナーライナーには、第１の凹溝に適合する係合凸部が設けられ、外カップとインナーライナーの組立が完了した場合、係合凸部は、第１の凹溝内に突入して係合される。
【０００７】
さらに、係合凸部と第１の凹溝との間に過流隙間が設けられて、第１の連通通路と第２の連通通路を連通する。
【０００８】
さらに、第１の溝状通路は、外カップの内面に放射状をなして設けられ、第１の凹溝と連通する複数の第２の凹溝をさらに含む。
【０００９】
さらに、第２の凹溝の入口は、外カップの、関節包内に露出する表面に設けられる。
【００１０】
さらに、第２の連通通路は、係合凸部に設けられた第３の凹溝を含む、インナーライナーの外面に設けられた第２の溝状通路をさらに含み、一部の第２の連通通路の入口が第３の凹溝に設けられる。
【００１１】
さらに、第２の溝状通路は、第３の凹溝と間隔を隔てて設けられた第４の凹溝をさらに含み、一部の第２の連通通路の入口が第４の凹溝に設けられる。
【００１２】
さらに、インナーライナーの、適合した関節頭構造との接触面に設けられた一部の第２の連通通路の出口には、開口径が該第２の連通通路の出口の開口径より大きい収容溝が設けられる。
【００１３】
さらに、関節窩プロテーゼが寛骨臼プロテーゼであり、第１の連通通路の入口が外カップの端面に設けられる。
【００１４】
さらに、外カップは、セラミック又は金属材料で製造され、インナーライナーは、弾性ポリマー材料で製造される。
【００１５】
さらに、インナーライナーは、透明材料で製造され、第２の連通通路は、フェムト秒レーザによる内部彫刻技術によって形成される。
【００１６】
さらに、外カップは、３Ｄ印刷技術を用いて金属及びセラミックで製造され、空間湾曲特性を有する第１の管状通路が容易に得られ、その第１の凹溝及び第２の凹溝等の構成も３Ｄ印刷技術又は後期の機械切削加工により得ることができる。
【００１７】
さらに、外カップは、成形焼結方法を用いて金属及びセラミックで製造され、空間湾曲特性を有する第１の管状通路が容易に得られ、その第１の凹溝及び第２の凹溝等の構成も成形焼結又は後期の機械切削加工により得ることができる。
【００１８】
さらに、インナーライナーは、透明な弾性ポリマー材料で製造され、第２の連通通路は、フェムト秒レーザによる内部彫刻技術によって形成される。
【００１９】
本発明の別の態様は、相対運動可能な第１の骨と第２の骨との間に設けられ、第１の骨に設けられる関節窩プロテーゼと、第２の骨に設けられる関節頭プロテーゼと、を含み、関節窩プロテーゼが上記関節窩プロテーゼである関節プロテーゼを提供する。
【発明の効果】
【００２０】
本発明の技術的解決手段によれば、外カップとインナーライナーは、それぞれ別の部材であり、組み合わせて関節窩プロテーゼを形成することにより、外カップとインナーライナーが異なる材質でそれぞれ製造して成形され、外カップと患者の骨との間の固定効果を満たし、インナーライナーと関節頭との間の摩耗を軽減することに役立つ。外カップにおける第１の連通通路の入口が外カップの、関節包内に露出する表面に設けられ、かつ第２の連通通路に接続され、インナーライナーにおける第２の連通通路の入口がインナーライナーの、関節包内に露出する表面に設けられ、かつ関節包内の滑液をインナーライナーと関節頭構造との間の接触面に導くことにより、インナーライナーと、適合した関節頭構造との間の接触面を十分に潤滑させて、インナーライナー及び関節頭構造の摩耗速度を低下させ、関節窩プロテーゼの耐用年数を確保し、患者の手術頻度を低下させることができる。
【図面の簡単な説明】
【００２１】
本願の一部を構成する明細書の図面は、本発明をさらに理解するためのものであり、本発明の例示的な実施例及びその説明は、本発明を解釈するためのもので、本発明を不当に限定するものではない。図面において、
【図１】本発明に係る関節窩プロテーゼの実施例の構造概略図を示す。
【図２】図１の関節窩プロテーゼの外カップの構造概略図を示す。
【図３】図２の外カップの断面構造概略図を示す。
【図４】図１の関節窩プロテーゼのインナーライナーの構造概略図を示す。
【図５】図４のインナーライナーの断面構造概略図を示す。
【図６】本発明に係る関節プロテーゼの実施例の構造概略図を示す。
【発明を実施するための形態】
【００２２】
なお、本願における実施例と実施例における特徴は、矛盾しない限り、互いに組み合わせることができる。以下、図面を参照しながら実施例を組み合わせて本発明を詳細に説明する。
【００２３】
本願の関節窩プロテーゼは、肩関節、股関節等のように相対的に回転し、摺動する関節に適用することができる。本実施例における関節窩プロテーゼは、寛骨臼プロテーゼであり、寛骨に設けられて患者の本来の寛骨臼を代替することができる。具体的には、関節の周囲の結合組織は、膜嚢を構成して関節腔を密封し、該膜嚢は関節包と呼ばれる。関節包内の滑膜は、滑液を分泌することにより関節中の連結骨間の摩擦を減少させる。図１に示すように、本実施例における関節窩プロテーゼは、対象骨（寛骨であってよい）に設けられる外カップ１０と、外カップ１０に設けられるインナーライナー２０とを含み、関節球頭は、インナーライナー２０に可動に設けられる。外カップ１０には、関節包に連通する第１の連通通路が設けられ、第１の連通通路の入口が外カップ１０の、関節包内に露出する表面に設けられ、第１の連通通路の出口が外カップ１０のインナーライナー２０との接触面に設けられる。インナーライナー２０には、関節包に連通する第２の連通通路が設けられ、一部の第２の連通通路の入口がインナーライナー２０の、外カップ１０に対向する外面に設けられ、第１の連通通路と連通し、一部の第２の連通通路の入口がインナーライナー２０の、関節包内に露出する表面に設けられ、第２の連通通路の出口がインナーライナー２０の、適合した関節球頭構造に接触する内面に設けられる。
【００２４】
本実施例の技術的解決手段によれば、外カップ１０とインナーライナー２０は、それぞれ別の部材であり、組み合わせて関節窩プロテーゼを形成することにより、外カップ１０とインナーライナー２０が異なる材質でそれぞれ製造して成形され、外カップ１０と患者の骨との間の固定効果を満たし、インナーライナー２０と関節頭との間の摩耗を軽減することに役立つ。外カップ１０における第１の連通通路の入口が外カップ１０の、関節包内に露出する表面に設けられ、かつ第２の連通通路に接続され、インナーライナー２０における第２の連通通路の入口がインナーライナー２０の、関節包内に露出する表面に設けられ、かつ関節包内の滑液をインナーライナー２０と関節頭構造との間の接触面に導くことにより、インナーライナー２０と、適合した関節頭構造との間の接触面を十分に潤滑させて、インナーライナー２０及び関節頭構造の摩耗速度を低下させ、関節窩プロテーゼの耐用年数を保証し、患者の再置換術の頻度を低下させることができる。
【００２５】
好ましくは、本実施例における外カップ１０は、金属材料で３Ｄ印刷技術により製造されることで、外カップ１０の硬度を保証すると共に、外カップ１０の外面に多孔質構造等の患者の骨の固定に役立つ構造と、一定の空間湾曲特性を有する第１の連通通路とを形成しやすい。他の図示しない実施例において、外カップは、セラミック等の医療用材料で製造されてもよく、機械切削、成形焼結等の技術手段により加工されてもよい。
【００２６】
好ましくは、本実施例におけるインナーライナー２０は、弾性ポリマー材料で製造されて、その弾性を保証し、具体的には、ポリウレタン、ポリビニルアルコールゲル、ポリ乳酸等の医療用材料を選択することができる。インナーライナー２０に第２の連通通路が設けられるため、患者が運動する時に生成する力の作用で、インナーライナー２０は、受圧により変形するか又は圧力消失により回復することでポンプに類似する作用を果たし、滑液を接触面に押し込むか又は第２の連通通路に自発的に吸入することができ、インナーライナー２０と球頭との間の潤滑効果を向上させる。また、このようなポンプ効果は、インナーライナー２０の変形により第１の連通通路に作用し、第１の連通通路中の滑液の吸入又は押し出しに正負圧を提供し、外カップ１０とインナーライナー２０との間の潤滑効果を向上させることもできる。
【００２７】
さらに好ましくは、本実施例におけるインナーライナー２０は、透明材料で製造され、第２の連通通路はフェムト秒レーザによる内部彫刻技術によって形成される。現在行われた様々な試験において、場合によっては、関節滑液の貯蔵と輸送を容易にするために多孔質のポリマー構造を得ることを試みるが、このような設計は、ほとんど凍結乾燥法、発泡法又は焼結法等のプロセスを主とし、これらの方法は、ランダムな無秩序の単一構造の多孔質材料のみを得ることができ、全ての孔隙の透過性を保証することができず、その内部の力学特性に対しても効果的な設計及び制御を行うことができない。本実施例における関節窩プロテーゼは、フェムト秒レーザによる内部彫刻プロセスによって、予め設計された通路を透明なポリウレタン材料に彫刻すると共に、通路の透過性、インナーライナーの力学特性及び滑液の接触面での分布を確保し、潤滑効果を向上させることができる。
【００２８】
図２及び図３に示すように、本実施例における第１の連通通路は、第１の管状通路１１及び第１の溝状通路を含み、第１の管状通路１１が外カップ１０に設けられ、外カップ１０が患者の体内に埋め込まれた（植え込まれた）後、外カップ１０の外面が寛骨の骨床に覆われ、内面がインナーライナー２０に覆われるため、第１の管状通路の入口１５が外カップの端面１７に設けられて、関節包内に露出させることにより、滑液が第１の管状通路１１に入ることができる。本実施例における第１の管状通路１１の横断面は、直径が０．５ｍｍ以上の円形であり、他の図示しない実施例において、第１の連通通路の横断面は円形でなく、さらに規則的な図形でない可能性があるが、その等価円直径も０．５ｍｍ以上であるべきである（ここでの等価円直径とは、不規則な図形の面積と同じ円形の直径を指す）。
【００２９】
図１〜図５に示すように、第１の溝状通路は、外カップ１０の内球面に環状をなして設けられた第１の凹溝１２を含み、複数の第１の管状通路の出口１６は、第１の凹溝１２の溝底に設けられ、第１の管状通路の出口１８は、外カップ１０の内球面に設けられる。インナーライナー２０には、第１の凹溝１２に適合した係合凸部２２が設けられ、外カップ１０とインナーライナー２０の組立が完了した場合、係合凸部２２は、第１の凹溝１２内に突入して、外カップ１０とインナーライナー２０を相互にロックすることにより、インナーライナー２０が離脱することを防止する。
【００３０】
図２及び図３に示すように、本実施例における第１の溝状通路は、外カップ１０の内面に放射状をなして設けられ、第１の凹溝１２に連通する複数の第２の凹溝１３をさらに含む。第２の凹溝の入口１４は、外カップの端面１７に設けられる。滑液は、第１の管状通路の入口１５から第１の管状通路１１に入り、かつ第１の管状通路の出口１６及び第１の凹溝１２を介して第２の凹溝１３に入り、さらに第２の凹溝の入口１４から第２の凹溝１３に直接的に入ることができる。
【００３１】
図４及び図５に示すように、本実施例における第２の連通通路は、第２の管状通路２１を含み、第２の管状通路２１がインナーライナー２０に設けられ、インナーライナー２０が患者の体内に埋め込まれた後、インナーライナー２０の外面が外カップ１０に覆われ、内面が関節球頭に覆われるため、第２の管状通路の入口２６がインナーライナーの端面２７に設けられて、関節包内に露出させることにより、滑液が第２の管状通路２１に入ることができる。第２の管状通路の出口は、インナーライナー２０の、適合した関節球頭と接触する内面に設けられる。
【００３２】
図４及び図５に示すように、インナーライナー２０の外カップ１０との接触面にも第２の連通通路の入口が設けられることで、第２の連通通路は、第１の連通通路内の滑液をインナーライナー２０と関節球頭との間の接触面に導くことができる。具体的には、第２の連通通路は、係合凸部２２に設けられた第３の凹溝２３、及び第３の凹溝２３と間隔を隔ててインナーライナー２０の外面に設けられた第４の凹溝２４を含む、インナーライナー２０の外面に設けられた第２の溝状通路をさらに含み、第２の連通通路の、外カップ１０に向く入口は、第３の凹溝２３及び第４の凹溝２４の溝底に設けられる。第２の凹溝１３内の滑液は、第４の凹溝２４を介して第２の連通通路に入り、さらにインナーライナー２０と関節球頭との間の接触面に塗布され得る。本実施例におけるインナーライナー２０の、外カップ１０に向く入口の横断面は、直径が０．０５ｍｍ〜３ｍｍの間の円形であり、他の図示しない実施例において、インナーライナーの、外カップに向く入口の横断面は、円形でなく、さらに規則的な図形でない可能性があるが、その等価円直径も０．０５ｍｍ〜３ｍｍの間にあるべきである。
【００３３】
滑液を第１の連通通路から第２の連通通路にスムーズに流入させるために、本実施例における係合凸部２２と第１の凹溝１２との間に過流隙間が形成され、滑液は、第１の管状通路１１を介して過流隙間に入り、かつ第３の凹溝２３の開口を介して第２の連通通路に入り、さらにインナーライナー２０と関節球頭との間の接触面に塗布され、潤滑効果を達成する。
【００３４】
本実施例では、インナーライナー２０の関節球頭との接触内面に収容溝２５が設けられ、収容溝２５が第２の連通通路の、関節球頭に向く出口に接続され、収容溝２５の開口径が該第２の連通通路の出口の開口径より大きいことで、滑液を収容溝２５に貯蔵することができる。本実施例におけるインナーライナー２０の、関節球頭に向く出口の横断面は、直径が０．０３ｍｍ〜１．５ｍｍの間の円形であり、収容溝２５の開口は、直径が０．０５ｍｍ〜２ｍｍの間の円形である。他の図示しない実施例において、インナーライナーの、球頭に向く出口の横断面は、円形でなく、さらに規則的な図形でない可能性があるが、その等価円直径も０．０３ｍｍ〜１．５ｍｍの間にあるべきである。収容溝の開口の等価円直径は、０．０５ｍｍ〜２ｍｍの間にあるべきである。
【００３５】
本実施例における関節窩プロテーゼは、人体軟骨の硬度、弾性パラメータに近い透明なポリマー材料を用いることにより、患者のリハビリテーション後の歩行時の体性感覚がより快適であり、同時に寛骨臼のインナーライナーと寛骨臼の外カップに、関節滑液を輸送する第１の連通通路及び第２の連通通路を設けたため、関節滑液を摩擦界面に効果的に輸送することができる。人体の歩行中に、一定の弾性を有するポリマーインナーライナープロテーゼは、人体の体重による交番荷重により繰り返して圧縮され、解放され、インナーライナーにおける第２の連通通路内の滑液の押し出し及び吸入が交互に行われ、滑液が関節摩擦界面に連続的に輸送され、これにより、摩擦界面の潤滑問題が解決され、埋め込まれたプロテーゼの耐用年数を大幅に延長することが確保される。
【００３６】
本願は、さらに関節プロテーゼを提供し、本実施例における関節プロテーゼは、股関節プロテーゼであり、大腿骨と寛骨との間に設けられることができる。図６に示すように、本実施例における関節プロテーゼは、寛骨に設けられる関節窩プロテーゼと、大腿骨に設けられる関節頭プロテーゼとを含む。関節窩プロテーゼは、上記一部又は全ての技術的特徴を含む関節窩プロテーゼであり、具体的には、外カップ１０及びインナーライナー２０を含み、関節頭プロテーゼは、球頭３０及び大腿骨ステム４０を含む。大腿骨ステム４０は、患者の大腿骨５０に埋め込まれ得る。本実施例における関節プロテーゼは、潤滑が十分であり、摩耗しにくく、耐用年数が長いという利点を有する。
【００３７】
以上の説明から分かるように、本発明の上記実施例は、以下の技術的効果を達成する。
【００３８】
外カップとインナーライナーは、それぞれ別の部材であり、組み合わせて関節窩プロテーゼを形成することにより、外カップとインナーライナーが異なる材質でそれぞれ製造して成形され、外カップと患者の骨との間の固定効果を満たし、インナーライナーと関節頭との間の摩耗を軽減することに役立つ。外カップにおける第１の連通通路の入口が外カップの、関節包内に露出する表面に設けられ、かつ第２の連通通路に接続され、インナーライナーにおける第２の連通通路の入口がインナーライナーの、関節包内に露出する表面に設けられ、かつ関節包内の滑液をインナーライナーと関節頭構造との間の接触面に導くことにより、インナーライナーと、適合した関節頭構造との間の接触面を十分に潤滑させて、インナーライナー及び関節頭構造の摩耗速度を低下させ、関節窩プロテーゼの耐用年数を確保し、患者の再置換術の頻度を低下させることができる。
【００３９】
以上は、本発明の好ましい実施例に過ぎず、本発明を限定するものではなく、当業者であれば、本発明に対する様々な変更と変化を行うことができる。本発明の精神及び原則内で行われる任意の修正、均等置換、改良等は、いずれも本発明の保護範囲内に含まれるべきである。
【符号の説明】
【００４０】
上記図面は、以下の符号を含む。
１０、外カップ  
１１、第１の管状通路  
１２、第１の凹溝  
１３、第２の凹溝  
１４、第２の凹溝の入口  
１５、第１の管状通路の入口  
１６、第１の管状通路の出口  
１７、外カップの端面  
１８、第１の管状通路の出口  
２０、インナーライナー  
２１、第２の管状通路  
２２、係合凸部  
２３、第３の凹溝  
２４、第４の凹溝  
２５、収容溝  
２６、第２の管状通路の入口  
２７、インナーライナーの端面  
３０、球頭  
４０、大腿骨ステム  
５０、大腿骨
【図１】
2021516593.tif 000003
【図２】
2021516593.tif 000004
【図３】
2021516593.tif 000005
【図４】
2021516593.tif 000006
【図５】
2021516593.tif 000007
【図６】
2021516593.tif 000008
【国際調査報告】
2021516593.tif 000009
2021516593.tif 000010
2021516593.tif 000011
2021516593.tif 000012